(57)【要約】【課題】必要とされる帯域の変化に応じて、出力電力を低減することができる通信制御装置、通信制御システム、および通信制御方法を提供する。【解決手段】変調方式決定部１３は、無線通信を行う無線通信手段における変調方式を決定する。制御部１４は、変調方式決定部１３が決定した変調方式で通信を行うように無線通信手段を制御する。帯域決定部１５は、無線通信手段が現在使用している帯域を示す値と、無線通信手段が現在から所定の時間前までの間に使用した帯域を示す値とのうち、大きい方の値を無線通信手段が使用する使用帯域に決定する。そして、変調方式決定部１３は、帯域決定部１５が決定した使用帯域を確保可能な変調方式のうち、最も少ない出力電力で通信可能な変調方式を無線通信手段における変調方式に決定する。【選択図】      図５
2016066934.tif 000002
【特許請求の範囲】
【請求項１】
無線通信を行う無線通信手段における変調方式を決定する変調方式決定手段と、
前記変調方式決定手段が決定した変調方式で通信を行うように前記無線通信手段を制御する制御手段とを備え、
前記変調方式決定手段は、
前記無線通信手段が現在使用している帯域を示す値と、前記無線通信手段が現在から所定の時間前までの間に使用した帯域を示す値とのうち、大きい方の値を前記無線通信手段が使用する使用帯域に決定する帯域決定手段を含み、
前記帯域決定手段が決定した使用帯域を確保可能な変調方式のうち、最も少ない出力電力で通信可能な変調方式を前記無線通信手段における変調方式に決定する
ことを特徴とする通信制御装置。
【請求項２】
前記変調方式決定手段は、前記帯域決定手段が決定した使用帯域を確保可能な変調方式のうち、１シンボルあたりに送信されるビット数が最も少ない変調方式を前記無線通信手段における変調方式に決定する
請求項１に記載の通信制御装置。
【請求項３】
自通信制御装置を管理する上位装置から情報を受信する上位装置通信インタフェースを備え、
前記帯域決定手段は、前記上位装置から前記上位装置通信インタフェースが受信した情報が示す、前記無線通信手段が使用する帯域を示す値と、決定した前記使用帯域を示す値とのうち、大きい方の値を前記無線通信手段が使用する使用帯域に決定する
請求項１または請求項２に記載の通信制御装置。
【請求項４】
自通信制御装置を介して無線通信を行う隣接装置から情報を受信する隣接装置通信インタフェースを備え、
前記帯域決定手段は、前記隣接装置から前記隣接装置通信インタフェースが受信した情報が示す、使用を要求する帯域を示す値と、決定した前記使用帯域を示す値とのうち、大きい方の値を前記無線通信手段が使用する使用帯域に決定する
請求項１から請求項３のうちいずれかに記載の通信制御装置。
【請求項５】
前記帯域決定手段は、前記隣接装置通信インタフェースが複数の前記隣接装置から前記使用を要求する帯域を示す情報をそれぞれ受信した場合に、受信した各々の情報が示す帯域を示す値の和と、決定した前記使用帯域を示す値とのうち、大きい方の値を前記無線通信手段が使用する使用帯域に決定する
請求項４に記載の通信制御装置。
【請求項６】
前記変調方式決定手段は、所定の時間間隔で変調方式を決定する処理を行う
請求項１から請求項５のうちいずれかに記載の通信制御装置。
【請求項７】
請求項１から請求項６のうちいずれかに記載の通信制御装置と、
前記通信制御装置を管理する上位装置および前記通信制御装置を介して無線通信を行う隣接装置のうち少なくともいずれか一方とを含む
ことを特徴とする通信制御システム。
【請求項８】
無線通信を行う無線通信手段における変調方式を決定する変調方式決定ステップと、
前記変調方式決定ステップで決定した変調方式で通信を行うように前記無線通信手段を制御する制御ステップとを含み、
前記変調方式決定ステップは、
前記無線通信手段が現在使用している帯域を示す値と、前記無線通信手段が現在から所定の時間前までの間に使用した帯域を示す値とのうち、大きい方の値を前記無線通信手段が使用する使用帯域に決定する帯域決定ステップを含み、
前記帯域決定ステップで決定した使用帯域を確保可能な変調方式のうち、最も少ない出力電力で通信可能な変調方式を前記無線通信手段における変調方式に決定する
ことを特徴とする通信制御方法。
【発明の詳細な説明】
【技術分野】
【０００１】
本発明は、無線通信を制御する通信制御装置、通信制御システム、および通信制御方法に関する。
【背景技術】
【０００２】
マイクロ波等による無線通信では、無線通信回線の回線品質（例えば、受信信号レベルや符号誤り率等）が天候やフェージングによって変動する。そこで、動的に変調方式を変更する適応変調方式が提案されている。
【０００３】
適応変調方式では、より広い帯域で通信を行うことを目的としてより多値の変調方式が選択される。そして、より多値の変調方式で無線通信を行うためには、より高いＳＮＲ（Ｓｉｇｎａｌ  ｔｏ  Ｎｏｉｓｅ  Ｒａｔｉｏ）が必要とされる。しかし、ＳＮＲが低い場合に多値の変調方式が選択されると、送受信される信号の品質が低下する。そこで、適応変調方式では、送受信される信号の品質に影響を及ぼさない範囲で、より多値の変調方式が選択される。
【０００４】
また、ＳＮＲを一定に保ちつつ、より多値の変調方式を選択するためには、無線通信における出力電力を大きくする必要がある。したがって、適応変調方式において、通信で用いる帯域を広げるためにより多値の変調方式を選択すると、無線通信における出力電力もより大きくなる。
【０００５】
ところで、通信ネットワークを流通するフレームがＩＰ（Ｉｎｔｅｒｎｅｔ  Ｐｒｏｔｏｃｏｌ）化（イーサネット（登録商標）フレーム化）されてきており、統計多重による伝送が主流化してきている。また、ＯｐｅｎＦｌｏｗ（登録商標）やＳＤＮ（Ｓｏｆｔｗａｒｅ  Ｄｅｆｉｎｅｄ  Ｎｅｔｗｏｒｋ）の規格に基づいて、通信端末等によって通信装置に求められる帯域が時々刻々と変化するようになってきている。
【０００６】
特許文献１には、接続された通信端末等の要求に応じた帯域を維持しつつ、出力電力を低減する通信装置が記載されている。
【０００７】
特許文献２には、無線通信を行っているチャネルに隣接するチャネルが他の通信端末に割り当てられた場合に、出力電力を低減する通信装置が記載されている。
【０００８】
特許文献３には、天候等の影響により無線通信回線の回線品質が低下した場合に、通信に用いるチャネル数を減少させる通信装置が記載されている。
【先行技術文献】
【特許文献】
【０００９】
【特許文献１】特開２０１３−１６２２３１号公報
【特許文献２】特開２０１０−１３６４３１号公報
【特許文献３】特開２０００−３１８８３号公報
【発明の概要】
【発明が解決しようとする課題】
【００１０】
前述した適応変調方式では、可能な限り広い帯域で通信が行われるので、通信装置に求められる帯域よりも過大な帯域で通信を行っている場合がある。そのような場合には、通信装置は、過大な出力電力で消費電力を増大させてしまうという問題がある。
【００１１】
また、特許文献１に記載されている通信装置は、予め決定された出力電力で通信を行うので、通信端末等の要求や当該通信装置の使用環境等が時々刻々と変化する場合に、当該変化に応じて出力電力を変化させることができない。
【００１２】
特許文献２に記載されている通信装置は、自通信装置の稼働状況に応じて消費電力を低減することができない。
【００１３】
特許文献３に記載されている通信装置は、無線通信回線の回線品質が向上した場合に、出力電力を低減することができない。
【００１４】
そこで、本発明は、必要とされる帯域の変化に応じて、出力電力を低減することができる通信制御装置、通信制御システム、および通信制御方法を提供することを目的とする。
【課題を解決するための手段】
【００１５】
本発明による通信制御装置は、無線通信を行う無線通信手段における変調方式を決定する変調方式決定手段と、変調方式決定手段が決定した変調方式で通信を行うように無線通信手段を制御する制御手段とを備え、変調方式決定手段は、無線通信手段が現在使用している帯域を示す値と、無線通信手段が現在から所定の時間前までの間に使用した帯域を示す値とのうち、大きい方の値を無線通信手段が使用する使用帯域に決定する帯域決定手段を含み、帯域決定手段が決定した使用帯域を確保可能な変調方式のうち、最も少ない出力電力で通信可能な変調方式を無線通信手段における変調方式に決定することを特徴とする。
【００１６】
本発明による通信制御システムは、いずれかの態様の通信制御装置と、通信制御装置を管理する上位装置および通信制御装置を介して無線通信を行う隣接装置のうち少なくともいずれか一方とを含むことを特徴とする。
【００１７】
本発明による通信制御方法は、無線通信を行う無線通信手段における変調方式を決定する変調方式決定ステップと、変調方式決定ステップで決定した変調方式で通信を行うように無線通信手段を制御する制御ステップとを含み、変調方式決定ステップは、無線通信手段が現在使用している帯域を示す値と、無線通信手段が現在から所定の時間前までの間に使用した帯域を示す値とのうち、大きい方の値を無線通信手段が使用する使用帯域に決定する帯域決定ステップを含み、帯域決定ステップで決定した使用帯域を確保可能な変調方式のうち、最も少ない出力電力で通信可能な変調方式を無線通信手段における変調方式に決定することを特徴とする。
【発明の効果】
【００１８】
本発明によれば、必要とされる帯域の変化に応じて、出力電力を低減することができる。
【図面の簡単な説明】
【００１９】
【図１】本発明の第１の実施形態の通信装置が他の通信装置と通信を行う例を示す説明図である。
【図２】本発明の第１の実施形態の通信装置の構成例を示すブロック図である。
【図３】本発明の第１の実施形態の通信装置の動作を示すフローチャートである。
【図４】本発明の第１の実施形態の通信装置の動作を示すフローチャートである。
【図５】本発明の第２の実施形態の通信装置の構成例を示すブロック図である。
【発明を実施するための形態】
【００２０】
実施形態１．
本発明の第１の実施形態の通信装置１００について図面を参照して説明する。図１は、本発明の第１の実施形態の通信装置１００が他の通信装置である対向装置４００と無線通信を行う例を示す説明図である。
【００２１】
図１に示すように、本発明の第１の実施形態の通信装置１００は、ＮＭＳ（Ｎｅｔｗｏｒｋ  Ｍａｎａｇｅｍｅｎｔ  Ｓｙｓｔｅｍ）２００、および隣接装置３０１，３０２と接続されている。また、通信装置１００は、無線通信回線を介して対向装置４００と無線通信を行う。通信装置１００は、例えば、携帯電話システムにおける基地局間の通信に用いられ、隣接装置３０１，３０２と対向装置４００との間の通信を中継する。
【００２２】
なお、本例では、各装置には、ＯｐｅｎＦｌｏｗ等のＳＤＮの規格に基づき、プログラム制御に従って処理を実行するＣＰＵ（Ｃｅｎｔｒａｌ  Ｐｒｏｃｅｓｓｉｎｇ  Ｕｎｉｔ）が搭載されているとする。そして、通信装置１００は、ＮＭＳ２００および隣接装置３０１，３０２のうち少なくとも１つの要求に応じて、無線通信の変調方式を決定する。
【００２３】
図２は、本発明の第１の実施形態の通信装置１００の構成例を示すブロック図である。図２に示すように、本発明の第１の実施形態の通信装置１００は、上位インタフェース１１０、隣接装置通信部１２０、最適化処理部１３０、および無線制御部１４０を含む。
【００２４】
最適化処理部１３０は、例えば、プログラム制御に従って処理を実行するＣＰＵによって実現される。上位インタフェース１１０および隣接装置通信部１２０は、例えば、ＣＰＵの指示に従って通信を行う通信インタフェースによって実現される。
【００２５】
また、通信装置１００は、管理者等によって予め設定された設定情報が記憶されている記憶手段（図示せず）を含む。なお、通信装置１００は、隣接装置３０１，３０２と対向装置４００との間の通信を中継する中継手段や、隣接装置３０１，３０２およびＮＭＳ２００との間の通信や自通信装置１００の動作等を監視する監視手段も含むが、説明の簡単のため詳細な説明は省略する。
【００２６】
上位インタフェース１１０は、ＮＭＳ２００と通信を行い、当該ＮＭＳ２００が送信した通知である上位通知を受信する。上位通知は、例えば、ＯｐｅｎＦｌｏｗ等のＳＤＮの規格に基づき対向装置４００との無線通信に要求される帯域を示す情報を含む。
【００２７】
本例では、上位インタフェース１１０がＮＭＳ２００から受信する上位通知に含まれる帯域を示す情報は、ＯｐｅｎＦｌｏｗの規格で用意されたスライサ機能の最小帯域保証（ｍｉｎｉｍｕｍ  ｂａｎｄｗｉｄｔｈ  ｇｕａｒａｎｔｅｅｄ）で設定された各出力先のキューのレート（単位：［ｋｂｐｓ］）をそれぞれ示す情報である。
【００２８】
隣接装置通信部１２０は、隣接装置３０１，３０２とそれぞれ通信を行い、隣接装置３０１，３０２が送信した通知である隣接装置通知をそれぞれ受信する。隣接装置通知は、例えば、隣接装置３０１，３０２が、通信装置１００を介して対向装置４００と通信を行うために要求する帯域を示す情報を含む。より具体的には、例えば、隣接装置３０１，３０２のそれぞれに接続された一方の通信端末と、対向装置４００に直接に、または間接的に接続された他方の通信端末との間の通信で必要とされる帯域を示す情報である。
【００２９】
なお、上位インタフェース１１０とＮＭＳ２００との間の通信、および隣接装置通信部１２０と隣接装置３０１，３０２との間の通信は、例えば、ＬＬＤＰ（Ｌｉｎｋ  Ｌａｙｅｒ  Ｄｉｓｃｏｖｅｒ  Ｐｒｏｔｏｃｏｌ）や、ＲＳＶＰ（Ｒｅｓｏｕｒｃｅ  Ｒｅｓｅｒｖａｔｉｏｎ  Ｐｒｏｔｏｃｏｌ）に基づいて行われる。
【００３０】
ここで、ＬＬＤＰの標準のフレームフォーマットは、隣接する通信装置に帯域を示す情報を通知可能なように構成されていない。そこで、本例では、隣接装置通信部１２０と隣接装置３０１，３０２との間の通信は、各装置の管理者や製造者が自由にフィールドを設定できるＴＬＶ（Ｔｙｐｅ  Ｌｅｎｇｔｈ  Ｖａｌｕｅ）が設定されたフレームが送受信されることによって行われる。したがって、本例では、隣接装置３０１，３０２に接続された通信端末が通信装置１００を介した対向装置４００との通信で要求する帯域を示す情報が当該フィールドに含まれて隣接装置３０１，３０２から通信装置１００に送信されるフレームを隣接装置通知という。
【００３１】
最適化処理部１３０は、上位インタフェース１１０が受信した上位通知、隣接装置通信部１２０が受信した隣接装置通知、および記憶手段に記憶されている設定情報に基づいて、対向装置４００との間で前述した中継手段が行う無線通信における変調方式を決定する。なお、設定情報には、対向装置４００との無線通信における方針や、隣接装置３０１，３０２との通信にそれぞれ割り当てる帯域を示す情報を含む。対向装置４００との無線通信における方針とは、例えば、低出力電力化を優先するのか、または広い帯域による通信を優先するのかや、上位通知や隣接装置通知を考慮するか否か等である。
【００３２】
また、最適化処理部１３０は、例えば、ＳＮＭＰ（Ｓｉｍｐｌｅ  Ｎｅｔｗｏｒｋ  Ｍａｎａｇｅｍｅｎｔ  Ｐｒｏｔｏｃｏｌ）におけるＲＭＯＮ（Ｒｅｍｏｔｅ  ｎｅｔｗｏｒｋ  ＭＯＮｉｔｏｒｉｎｇ）機能によって、対向装置４００との間の通信で使用されている帯域（単位：［ｋｂｐｓ］）を示すデータを取得する。そして、最適化処理部１３０は、例えば、取得したデータと当該帯域が使用された時刻とを対応付けて記憶手段に記憶させる。
【００３３】
無線制御部１４０は、最適化処理部１３０の決定に従って、対向装置４００との間の無線通信を制御する。具体的には、最適化処理部１３０が決定した変調方式で対向装置４００との間で無線通信を行うように、前述した中継手段を制御する。
【００３４】
次に、本発明の第１の実施形態の通信装置１００の動作について説明する。図３および図４は、本発明の第１の実施形態の通信装置１００の動作を示すフローチャートである。
【００３５】
通信装置１００（具体的には、最適化処理部１３０）は、まず、記憶手段に記憶されている設定情報を参照して、省電力モードに設定されているか否かを判定する（ステップＳ１０１）。設定情報によって省電力モードに設定されていることが示されていない場合に（ステップＳ１０１のＮ）、通信装置１００は、省電力化よりも、広い帯域を確保することが求められているので、処理を終了する。
【００３６】
最適化処理部１３０は、設定情報によって省電力モードに設定されていることが示されている場合に（ステップＳ１０１のＹ）、対向装置４００との間の通信で使用されている帯域Ｎ（単位：［ｋｂｐｓ］）を示す情報を取得する（ステップＳ１０２）。そして、最適化処理部１３０は、ステップＳ１０２の処理で取得した情報が示す帯域Ｎのうち、最大の帯域である最大帯域Ｎｍと、現在の帯域Ｎｃとを比較する（ステップＳ１０３）。
【００３７】
本例では、最適化処理部１３０は、対向装置４００との間の通信で使用されている帯域Ｎを示すデータが時刻に対応付けられて記憶手段に記憶されているとする。そして、最適化処理部１３０は、ステップＳ１０２の処理で、例えば、現在時刻から１５分前までの間の帯域Ｎを示すデータを記憶手段から読み出す。最適化処理部１３０は、読み出したデータに基づいて、例えば、現在時刻から１５分前までの間の帯域Ｎの１分毎の平均値をそれぞれ算出する。そして、最適化処理部１３０は、算出した１分毎の平均値のうち、最も大きな値を最大帯域Ｎｍとして、ステップＳ１０３の処理で、現在の帯域Ｎｃと比較する。なお、現在の帯域Ｎｃは、具体的には、例えば、直近１分間の帯域の平均値である。
【００３８】
最適化処理部１３０は、最大帯域Ｎｍの値が現在の帯域Ｎｃの値よりも大きい場合に（ステップＳ１０３のＹ）、新たに設定する帯域Ｎｎの値に最大帯域Ｎｍの値を設定する（ステップＳ１０４）。また、最適化処理部１３０は、最大帯域Ｎｍの値が現在の帯域Ｎｃの値よりも大きくない場合に（ステップＳ１０３のＮ）、新たに設定する帯域Ｎｎの値に現在の帯域Ｎｃの値を設定する（ステップＳ１０５）。
【００３９】
最適化処理部１３０は、記憶手段に記憶されている設定情報において上位通知を考慮しないように設定されている場合に（ステップＳ１０６のＮ）、ステップＳ１１０の処理に移行する。最適化処理部１３０は、記憶手段に記憶されている設定情報において上位通知を考慮するように設定されている場合に（ステップＳ１０６のＹ）、以下の処理を行う。すなわち、最適化処理部１３０は、上位通知に含まれている情報から、出力先が無線通信ポートであるキューのレートを抽出し、抽出したレートの和を算出する（ステップＳ１０７）。つまり、最適化処理部１３０は、ステップＳ１０７の処理で、ＮＭＳ２００から要求された対向装置４００との無線通信用の帯域である上位要求帯域Ｎｕを算出する。
【００４０】
そして、最適化処理部１３０は、ステップＳ１０７の処理で算出した上位要求帯域Ｎｕと、ステップＳ１０４またはＳ１０５の処理で設定した帯域Ｎｎとを比較する（ステップＳ１０８）。最適化処理部１３０は、上位要求帯域Ｎｕの値が帯域Ｎｎの値よりも大きい場合に（ステップＳ１０８のＹ）、新たに設定する帯域Ｎｎの値に上位要求帯域Ｎｕの値を設定する（ステップＳ１０９）。
【００４１】
最適化処理部１３０は、記憶手段に記憶されている設定情報において隣接装置通知を考慮しないように設定されている場合に（ステップＳ１１０のＮ）、ステップＳ１１４の処理に移行する。最適化処理部１３０は、記憶手段に記憶されている設定情報において隣接装置通知を考慮するように設定されている場合に（ステップＳ１１０のＹ）、以下の処理を行う。すなわち、最適化処理部１３０は、各隣接装置３０１，３０２によって送信された隣接装置通知の各々から、対向装置４００との通信で要求する帯域を示す情報を抽出する。そして、抽出した情報によって示される帯域の和を算出する（ステップＳ１１１）。つまり、最適化処理部１３０は、ステップＳ１１１の処理で、各隣接装置３０１，３０２から要求された対向装置４００との無線通信用の帯域である隣接要求帯域Ｎａを算出する。
【００４２】
そして、最適化処理部１３０は、ステップＳ１１１の処理で算出した隣接要求帯域Ｎａと、ステップＳ１０４、Ｓ１０５、またはＳ１０９の処理で設定した帯域Ｎｎとを比較する（ステップＳ１１２）。最適化処理部１３０は、隣接要求帯域Ｎａが帯域Ｎｎよりも大きい場合に（ステップＳ１１２のＹ）、新たに設定する帯域Ｎｎの値に隣接要求帯域Ｎａの値を設定する（ステップＳ１１３）。
【００４３】
最適化処理部１３０は、ステップＳ１０４、Ｓ１０５、Ｓ１０９、またはＳ１１３の処理で設定した帯域Ｎｎの値に応じて、変調方式を決定する（ステップＳ１１４）。具体的には、最適化処理部１３０は、帯域Ｎｎを確保可能な変調方式のうち、１シンボルあたりに送信されるビット数が最も少ない変調方式（つまり、最も出力電力が低い変調方式）を、前述した中継手段が対向装置４００と通信を行う場合に用いる変調方式に決定する。そして、無線制御部１４０は、例えば、ステップＳ１１４の処理で決定された変調方式に基づいて、搬送波を隣接装置３０１，３０２から送信された情報に応じた主信号で変調して送信するように中継手段を制御する（ステップＳ１１５）。
【００４４】
なお、最適化処理部１３０は、以上に述べたステップＳ１０１以降の処理を、例えば、１０秒毎等の所定の時間間隔で実行する。
【００４５】
本実施形態によれば、最適化処理部１３０が、所定の時間内における最大の帯域である最大帯域Ｎｍと、現在の帯域Ｎｃとを比較して、大きい方の値を新たに設定する帯域Ｎｎの値に設定する。したがって、実際に使用された帯域の最大値を新たに設定する帯域Ｎｎに設定して確保し、通信を継続させることができる。また、帯域が必要以上に拡大することを良好に抑制することができる。そして、最適化処理部１３０は、設定した帯域Ｎｎの値に応じて、帯域Ｎｎを確保可能な変調方式のうち、１シンボルあたりに送信されるビット数が最も少ない変調方式を採用すると決定する。したがって、帯域Ｎｎを確保しつつ、出力電力を低減することができる。
【００４６】
また、本実施形態によれば、最適化処理部１３０が、さらに、帯域Ｎｎの値と上位装置であるＮＭＳ２００が要求した帯域である上位要求帯域Ｎｕとを比較して、大きい方の値の帯域を新たに設定する帯域Ｎｎの値に設定する。したがって、少なくとも上位装置が要求した上位要求帯域Ｎｕを確保しつつ、出力電力を低減することができる。
【００４７】
本実施形態によれば、最適化処理部１３０が、さらに、帯域Ｎｎの値と隣接装置３０１，３０２が要求した帯域の和である隣接要求帯域Ｎａとを比較して、大きい方の値を新たに設定する帯域Ｎｎの値に設定する。したがって、少なくとも隣接装置３０１，３０２が要求した隣接要求帯域Ｎａを確保しつつ、出力電力を低減することができる。
【００４８】
また、本実施形態によれば、最適化処理部１３０は、以上に述べたステップＳ１０１以降の処理を、所定の時間間隔で実行する。したがって、最適化処理部１３０は、フェージング等により時々刻々と変化する状況に応じて、帯域Ｎｎを新たに設定することができる。
【００４９】
なお、各隣接装置３０１，３０２と通信装置１００との間の通信で、隣接装置通知が示す帯域よりも狭い帯域しか確保できない場合が考えられる。したがって、最適化処理部１３０は、各隣接装置３０１，３０２について、隣接装置通知が示す帯域の値と、各隣接装置３０１，３０２との間の通信に用いられる帯域の値とのうち、それぞれの小さい方の値の和を算出して、隣接要求帯域Ｎａとしてもよい。そのような構成によれば、隣接装置３０１，３０２と通信装置１００との間の通信で実際に使用される帯域に基づいて、隣接要求帯域Ｎａを算出することができる。
【００５０】
また、通信装置１００の記憶手段には、時間に応じたフェージングの変化を示すフェージングパターンが記憶されていてもよい。そして、最適化処理部１３０は、例えば、当該フェージングパターンと現在時刻とに基づく所定の値以下に帯域Ｎｎを設定するように構成されていてもよい。具体的には、ステップＳ１１４の処理で、帯域Ｎｎが現在時刻に応じた所定の値を超えている場合に、帯域Ｎｎの値を当該所定の値に設定してもよい。そのような構成によれば、最適化処理部１３０は、フェージングの影響が大きい時間帯には、よりフェージング耐性が強くなるように、１シンボルあたりに送信されるビット数がより少ない変調方式を採用することができる。
【００５１】
実施形態２．
本発明の第２の実施形態の通信制御装置１０について図面を参照して説明する。図５は、本発明の第２の実施形態の通信制御装置１０の構成例を示すブロック図である。本発明の第２の実施形態の通信制御装置１０は、図５に示すように、変調方式決定部１３と、制御部１４とを含む。また、変調方式決定部１３は、帯域決定部１５を含む。
【００５２】
変調方式決定部１３および帯域決定部１５は、図２に示す本発明の第１の実施形態の通信装置１００における最適化処理部１３０に相当する。また、制御部１４は、図２に示す本発明の第１の実施形態の通信装置１００における無線制御部１４０に相当する。
【００５３】
変調方式決定部１３は、無線通信を行う無線通信手段における変調方式を決定する。制御部１４は、変調方式決定部１３が決定した変調方式で通信を行うように無線通信手段を制御する。帯域決定部１５は、無線通信手段が現在使用している帯域を示す値と、無線通信手段が現在から所定の時間前までの間に使用した帯域を示す値とのうち、大きい方の値を無線通信手段が使用する使用帯域に決定する。
【００５４】
そして、変調方式決定部１３は、帯域決定部１５が決定した使用帯域を確保可能な変調方式のうち、最も少ない出力電力で通信可能な変調方式を無線通信手段における変調方式に決定する。
【００５５】
本実施形態によれば、必要とされる帯域の変化に応じて、出力電力を低減することができる。
【符号の説明】
【００５６】
１０    通信制御装置
１３    変調方式決定部
１４    制御部
１５    帯域決定部
１００    通信装置
１１０    上位インタフェース
１２０    隣接装置通信部
１３０    最適化処理部
１４０    無線制御部
２００    ＮＭＳ
３０１、３０２    隣接装置
４００    対向装置
【図１】
2016066934.tif 000003
【図２】
2016066934.tif 000004
【図３】
2016066934.tif 000005
【図４】
2016066934.tif 000006
【図５】
2016066934.tif 000007